【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
サンプルの質量分析を提供するための質量スペクトロメータシステムであって、前記システムは取外し可能な質量検出器モジュール及びハウジングを含み、前記モジュールが前記ハウジングと結合しインターフェイスするように構成され、前記モジュールは、質量分析器と読取可能識別子とを含み、前記識別子が前記モジュールを別のモジュールから識別する役割を果し、前記ハウジングは、前記モジュールのハウジングとのインターフェイスの際に、前記モジュールを用いて実行されたサンプルの質量分析を、前記モジュールまでトレースでき、前記モジュールと関連付けられ得るように、前記読取可能識別子との通信を実行するように構成された読取器を含むことを特徴とする質量スペクトロメータシステム。
【請求項２】
前記モジュールおよび前記ハウジングの各々は、モジュールとハウジングの結合の際に、ハウジングとインターフェイスとの間の電子結合を可能にするように構成された通信インターフェイスを含むことを特徴とする請求項１に記載のシステム。
【請求項３】
イオン源、検出器およびイオン結合光学系を含むことを特徴とする先行する請求項のいずれかに記載のシステム。
【請求項４】
前記取外し可能なモジュール上に、少なくとも検出器が設けられたことを特徴とする請求項３に記載のシステム。
【請求項５】
前記検出器は、イオンカウンタであることを特徴とする請求項３に記載のシステム。
【請求項６】
前記取外し可能なモジュール上に、少なくとも検出器および結合光学系が設けられたことを特徴とする請求項３に記載のシステム。
【請求項７】
真空チャンバ内に、イオン光学系、質量分析器および検出器が設けられたことを特徴とする請求項６に記載のシステム。
【請求項８】
イオン源をさらに含むことを特徴とする請求項１又は２に記載のシステム。
【請求項９】
真空チャンバの中に、イオン源が設けられたことを特徴とする請求項８に記載のシステム。
【請求項１０】
前記取外し可能なモジュールは、モジュールの別個の構成要素の相互の位置決めを可能にする少なくとも１つの位置決め機能を含むことを特徴とする先行する請求項のいずれかに記載のシステム。
【請求項１１】
前記モジュールは、プリント基板上に設けられたことを特徴とする先行する請求項のいずれかに記載のシステム。
【請求項１２】
前記識別子は、
a, ＲＦＩＤタグ、
b, バーコード、
c, メモリデバイスまたはデータストア
のうちの少なくとも１つから選択されることを特徴とする先行する請求項のいずれかに記載のシステム。
【請求項１３】
前記読取器は、電子的又は光学的読取器であることを特徴とする先行する請求項のいずれかに記載のシステム。
【請求項１４】
前記識別子は、メモリデバイス又はデータストアであり、前記読取器は、モジュールを識別するようにメモリデバイス又はデータストアと通信を実行することを特徴とする請求項１２に記載のシステム。
【請求項１５】
前記読取器は、モジュールがハウジングとインターフェイスすると、メモリデバイス又はデータストアの問合せを実行するように構成されたことを特徴とする請求項１４に記載のシステム。
【請求項１６】
前記読取器は、メモリデバイス又はデータストアに対して書込を実行するように構成されたことを特徴とする請求項１５に記載のシステム。
【請求項１７】
前記読取器は、モジュールが分析の実行に使用した構成要素を、その分析の結果とデータストア内で組合せるように、システム上で実行された分析に関係するデータのモジュールに対する書込を実行するように構成されたことを特徴とする請求項１６に記載のシステム。
【請求項１８】
前記モジュールは、外郭を含み、前記モジュールは、着脱可能な接続手段によりハウジングとインターフェイスすることを特徴とする先行する請求項のいずれかに記載のシステム。
【請求項１９】
前記ハウジングは、モジュール動作の支持要素を含むことを特徴とする先行する請求項のいずれかに記載のシステム。
【請求項２０】
前記ハウジングは、データストアを含み、前記データストアが特定のモジュールの動作のための１組の所定の動作パラメータを含み、適正な動作パラメータが読取器によってモジュール識別子の読取に適用されることを特徴とする先行する請求項のいずれかに記載のシステム。
【請求項２１】
前記モジュールは、モジュールの地理的位置を定めることを可能にするＧＰＳチップセットをさらに含むことを特徴とする先行する請求項のいずれかに記載のシステム。
【請求項２２】
前記モジュールはさらに、圧力センサ及び温度センサのうち少なくとも１つを含むことを特徴とする先行する請求項のいずれかに記載のシステム。
【請求項２３】
前記モジュールは、モジュールの衝撃又は振動から生じる破損を感知するように構成された加速度計をさらに含むことを特徴とする先行する請求項のいずれかに記載のシステム。
【請求項２４】
モジュールを用いて実行される質量スペクトロメータ分析から得られるデータを格納するように構成されたメモリデバイスをさらに含むことを特徴とする先行する請求項のいずれかに記載のシステム。
【請求項２５】
システムの特定ユーザを、システムと共に用いられる特定モジュールと関連付け、格納するように構成された監査モジュールをさらに含むことを特徴とする先行する請求項のいずれかに記載のシステム。
【請求項２６】
複数のモジュールは、システムと共に連続的に使用され、モジュールの各々が第１モジュールを使用して行なわれる分析と、第２モジュールを使用して行なわれる分析を、順次識別することが可能になるようにモジュールの上に識別子を設けたことを特徴とする先行する請求項のいずれかに記載のシステム。
【請求項２７】
前記モジュールは、ＭＥＭＳ技術を用いて作製されることを特徴とする先行する請求項のいずれかに記載のシステム。
【請求項２８】
システムと、コンピュータネットワークアーキテクチャ内の他の場所にあるコンピュータとの間で情報が交換され得るように、前記アーキテクチャ内でシステムのインターフェイスを可能にするように構成された通信手段をさらに含むことを特徴とする先行する請求項のいずれかに記載のシステム。
【請求項２９】
取外し可能な大量ストレージデバイスをさらに含むことを特徴とする先行する請求項のいずれかに記載のシステム。
【請求項３０】
質量スペクトロメータシステムでの使用のためのハウジングにおいて、
前記システムは、サンプルの質量分析を提供するために構成され、前記システムは、ハウジングと取外し可能なモジュールとを含み、前記取外し可能なモジュールが質量分析器と読取可能識別子とを含み、前記ハウジングがその中に機械読取可能な読取器を備え、使用中に取外し可能な質量検出器モジュールを受け入れ、インターフェイスするように構成され、モジュールのハウジングとのインターフェイスにより、前記読取器は、モジュールを用いて実行されたサンプルの質量分析をモジュールまでトレースし、モジュールと関連付けられ得るように、前記読取可能識別子との通信を実行するように構成されたことを特徴とするハウジング。
【請求項３１】
質量スペクトロメータシステムでの使用ための取外し可能な質量分析モジュールにおいて、前記システムは、サンプルの質量分析を提供するために構成され、前記システムがモジュールとモジュールのためのハウジングとを含み、前記ハウジングがその中に読取器を備え、モジュールを受け入れインターフェイスするように構成され、前記モジュールは、モジュールを用いて実行されたサンプルの質量分析をモジュールまでトレースし、モジュールと関連付けられ得るように、使用中に、モジュールがハウジングとインターフェイスすることにより、モジュールの読取可能識別子とハウジングの読取器との間の通信が可能になるように、質量分析器と読取可能識別子とを含むことを特徴とする取外し可能な質量分析モジュール。
【請求項３２】
個別質量スペクトロメータシステムを提供してサンプルの質量分析を提供する方法であって、
前記方法は、
ａ．その上に質量スペクトロメータを形成し、前記モジュールを別のモジュールから識別する役割を果す読取可能識別子をさらにその上に形成する分析器モジュールを提供することと、
ｂ．モジュールを受け入れ結合するように構成されたハウジングであって、識別子と通信するように構成された読取器を有するハウジングを提供することと、
ｃ．システムを使用してサンプルの質量分析を行い、サンプルの質量分析を行うことに関し、前記質量分析を、質量分析を行うために使用されたモジュールと関連付けることと
を含むことを特徴とする方法。
【請求項３３】
モジュールをハウジングとインターフェイスすることをさらに含み、前記ハウジングがその中に設けられた電子構成要素を有し、モジュールのハウジングとのインターフェイスにより、モジュールの動作を提供することを特徴とする請求項３２に記載の方法。
【請求項３４】
ハウジングとインターフェイスするモジュールの識別の判定の際に、モジュールの識別に依存するそのモジュールに適切な動作パラメータをもたらすことを特徴とする請求項３３に記載の方法。